(57)【要約】【課題】賞球通路から発射球供給皿に送り出された遊技球のうち、一部の遊技球を球箱払出用開口部からパチンコ機外部へ直接払い出すとともに、残りの遊技球を遊技球発射装置に案内することの調節が簡単なパチンコ機を提供する。【解決手段】  パチンコ機１０は、賞球通路２１から送り出された遊技球を遊技球発射装置４０へ誘導する発射球供給皿３１を備えている。発射球供給皿３１の底面には、球箱払出用開口部３７が形成されている。球箱払出用開口部３７には、パチンコ機１０の外部に配置された球箱６０に通じる球箱払出用通路３８が連結されるとともに、球箱払出用開口部３７を繰り返し開閉するシャッター部材５２が設けられている。【選択図】図５
2009153850.tif 000002
【特許請求の範囲】
【請求項１】
遊技球が転動可能な遊技領域を有する遊技盤と、
前記遊技領域に遊技球を発射する遊技球発射装置と、
前記遊技領域に設けられ、前記遊技領域を転動している遊技球が入球可能な入賞装置と、
前記遊技領域を転動している遊技球が前記入賞装置に入球することで遊技球を払い出す賞球払出手段と、
前記賞球払出手段から払い出される遊技球を案内する賞球通路と、
前記賞球通路から送り出された遊技球を前記遊技球発射装置へ誘導する発射球供給皿とを備え、
前記発射球供給皿の底面には、球箱払出用開口部が形成され、
前記球箱払出用開口部には、パチンコ機外部に配置された球箱に通じる球箱払出用通路が連結されるとともに、前記球箱払出用開口部を開閉するシャッター部材が設けられ、
前記シャッター部材を開放させた場合には、遊技球は前記球箱払出用開口部を通って前記球箱払出用通路に送り出されて前記球箱に払い出されるパチンコ機において、
前記シャッター部材を有するシャッター装置は、
遊技者が操作する操作部材と、
前記操作部材の操作を検知する検知手段と、
前記検知手段の検知によって前記シャッター部材を繰り返し開閉動作させる制御手段とを備えていることを特徴とするパチンコ機。
【発明の詳細な説明】
【技術分野】
【０００１】
本発明は、パチンコ機外部に配置される球箱に遊技球を直接払い出すタイプの発射球供給皿を有するパチンコ機に関する。
【背景技術】
【０００２】
従来、パチンコ機外部に配置される球箱に遊技球を直接払い出すタイプの発射球供給皿を有するパチンコ機において、発射球供給皿の底面の少なくとも一部を残して発射球供給皿の底面に遊技球を球箱へ直接払い出すことが可能な球箱払出用開口部を設け、前記発射球供給皿の底面の少なくとも一部を、球箱払出用開口部を迂回して遊技球発射装置に遊技球を案内させるための迂回路とし、発射球供給皿から遊技球を球箱へ排出している状態において、発射球供給皿から遊技球発射装置への遊技球の供給を途絶えなくすることが提案されている（例えば、特許文献１参照）。
【０００３】
【特許文献１】特許３９３８３９９号公報
【発明の開示】
【発明が解決しようとする課題】
【０００４】
しかし、特許文献１のパチンコ機では、球箱払出用開口部と遊技球発射装置とのどちらにも遊技球を上手く配分して案内するために、球箱払出用開口部の面積と迂回路の面積との割合調節が困難であった。
【０００５】
本発明の目的は、賞球通路から発射球供給皿に送り出された遊技球のうち、一部の遊技球を球箱払出用開口部からパチンコ機外部へ直接払い出すとともに、残りの遊技球を遊技球発射装置に案内することの配分調節が簡単なパチンコ機を提供する。
【課題を解決するための手段】
【０００６】
請求項１の発明のパチンコ機は、賞球通路から送り出された遊技球を遊技球発射装置へ誘導する発射球供給皿を備え、発射球供給皿の底面には、球箱払出用開口部が形成され、球箱払出用開口部には、パチンコ機外部に配置された球箱に通じる球箱払出用通路が連結されるとともに、球箱払出用開口部を開閉するシャッター部材が設けられている。
【０００７】
そして、シャッター部材を有するシャッター装置は、遊技者が操作する操作部材と、操作部材の操作を検知する検知手段と、検知手段の検知によってシャッター部材を繰り返し開閉動作させる制御手段とを備えている。
【０００８】
したがって、シャッター部材が球箱払出用開口部を繰り返し開閉動作している期間における球箱払出用開口部を開放している期間、閉鎖している期間を適宜設定することで、賞球通路から発射球供給皿に送り出された遊技球のうち、一部の遊技球を球箱払出用開口部からパチンコ機外部へ直接払い出すとともに、残りの遊技球を遊技球発射装置に案内することの配分調節が簡単になる。
【発明を実施するための最良の形態】
【０００９】
（第１実施形態）
以下、パチンコ機１０について、図１〜６にしたがって詳細に説明する。なお、図１はパチンコ機１０の正面図であり、図２は遊技盤１８の正面図であり、図３はパチンコ機１０の背面図であり、図４は下扉１５の上面図であり、図５は図４の４−４線断面図であり、図６はシャッター装置５０の電気的構成を示すブロック図であり、図７はシャッター部材５２の作動タイミングを説明するタイミングチャートである。また、以下、上下左右方向を指すときは、紙面上における上下左右方向を指し示すものとし、前後方向を指すときは、パチンコ機１０における正面側を前、背面側を後とする。
【００１０】
図１に示すように、パチンコ機１０は、パチンコ店にパチンコ機１０を設置するときの設置台になる外枠１１と、外枠１１に対して開閉可能に取り付けられている中枠１２とを備えている。
【００１１】
中枠１２の前面側には、図２に示すような、遊技球が転動可能な遊技領域１９を有する遊技盤１８が取り付けられている。遊技盤１８には、遊技領域１９を転動している遊技球が入球可能な入賞装置２０が取り付けられている。
【００１２】
また、図１に示すように、中枠１２の前面側には、中枠１２に対して開閉可能であって、遊技盤１８を覆う前扉１３が取り付けられている。前扉１３には、遊技盤１８を視認可能にする透明板１４が取り付けられている。さらに、中枠１２の前面側であって、前扉１３の下側には、中枠１２に対して開閉可能な下扉１５が取り付けられている。
【００１３】
下扉１５には、発射ハンドル１６と、受皿ユニット１７とが取り付けられている。発射ハンドル１６は、回動することで遊技球発射装置４０（図５参照）による遊技球の発射力を調節可能にしている。
【００１４】
図３に示すように、中枠１２の後面側には、遊技球を貯留する賞球タンク２３と、賞球タンク２３から受皿ユニット１７へと連絡されており、賞球タンク２３に貯留されている遊技球が受皿ユニット１７に移動するときの通路になる賞球通路２１と、賞球通路２１の途中に配置される賞球払出手段としての賞球払出装置２２とが取り付けられている。
【００１５】
賞球払出装置２２は、賞球タンク２３に貯留されている遊技球を受皿ユニット１７に払い出すための装置であって、遊技球が入賞装置２０に入球したときにこの入球を検知した図示しない制御装置からの指令によって、賞球払出装置２２は賞球タンク２３に貯留されている遊技球を受皿ユニット１７へ払い出す。
【００１６】
図４に示すように、受皿ユニット１７は、賞球通路２１に連結される連絡通路３０と、連絡通路３０の出口に連絡して賞球通路２１から送り出された遊技球を貯留する発射球供給皿３１とを備えている。発射球供給皿３１は、比較的幅広な貯留凹部３２と、貯留凹部３２に貯留されている遊技球を下流側に配置された遊技球発射装置４０へ案内する案内通路３３とを有している。
【００１７】
図５に示すように、案内通路３３の最下流であって案内通路３３の側面には、遊技球発射装置４０に遊技球を供給する供給口３４が設けられており、貯留凹部３２から案内通路３３を経て供給口３４を通過した遊技球は遊技球発射装置４０に供給される。
【００１８】
図４及び図５に示すように、貯留凹部３２の底面には、球箱払出用開口部３７が設けられており、球箱払出用開口部３７には、パチンコ機１０の外部に配置された球箱６０に通じる球箱払出用通路３８が連結されている。
【００１９】
また、受皿ユニット１７には、球箱払出用開口部３７を開閉するシャッター部材５２を有するシャッター装置５０が設けられている。以下、本発明のシャッター装置５０とについて説明する。
【００２０】
図５及び図６に示すように、シャッター装置５０は、ソレノイド５１と、ソレノイド５１に連結されて球箱払出用開口部３７を開閉するシャッター部材５２と、遊技者が操作可能であって受皿ユニット１７の上面に設けられる操作部材としての操作ボタン５３と、操作ボタン５３の操作を検知する検知手段としてのスイッチ５４と、シャッター部材５２を繰り返し開閉動作させる制御を行なうための制御手段（制御コンピュータ）５５とを有している。
【００２１】
図７に示すように、遊技者が操作ボタン５３を押すと、スイッチ５４は、操作ボタン５３が押されたことを検知してＯＦＦ状態から一時的にＯＮ状態になり、ＯＮ信号を制御手段５５に入力する。すると、制御手段５５は、通電が解除されてＯＦＦ状態であるソレノイド５１への通電を許容してソレノイド５１をＯＮ状態にし、これ以降、このＯＮ状態と、ソレノイド５１への通電を解除しているＯＦＦ状態とを所定間隔で繰り返して行なう球抜き制御を開始する。
【００２２】
ソレノイド５１は、通電されてＯＮ状態になっている間では球箱払出用開口部３７を開放する方向にシャッター部材５２を移動して球箱払出用開口部３７を開放し、通電が解除されてＯＦＦ状態になっている間では球箱払出用開口部３７を閉鎖する方向にシャッター部材５２を移動して球箱払出用開口部３７を閉鎖する。そのため、制御手段５５が球抜き制御を行っている間は、シャッター部材５２による球箱払出用開口部３７の開閉が繰り返して行なわれることになる。
【００２３】
そして、球箱払出用開口部３７が開放されているときには、賞球通路２１から貯留凹部３２に入り込んできた遊技球は、球箱払出用開口部３７と球箱払出用通路３８とを通過してパチンコ機１０の外部に配置された球箱６０に払い出される。また、球箱払出用開口部３７が閉鎖されているときには、賞球通路２１から貯留凹部３２に入り込んできた遊技球は、案内通路３３に案内される。
【００２４】
次いで、遊技者が操作ボタン５３を再び押すと、スイッチ５４は、操作ボタン５３が押されたことを検知してＯＦＦ状態から一時的にＯＮ状態になり、ＯＮ信号を制御手段５５に入力する。すると、制御手段５５は球抜き制御を停止し、ソレノイド５１をＯＦＦ状態にする。そのため、シャッター部材５２は球箱払出用開口部３７を閉鎖する。そして、遊技者が操作ボタン５３を再度押すまでは、賞球通路２１から貯留凹部３２に入り込んできた遊技球の全ては、案内通路３３を通過して遊技球発射装置４０に案内される。
【００２５】
以上の本実施形態においては、次のような効果を奏する。
ソレノイド５１をＯＮ状態にしている期間、またはＯＦＦ状態にしている期間を適宜設定することで、球箱払出用開口部３７が開放している期間と閉鎖している期間とを適宜設定することができる。そのため、賞球通路２１から貯留凹部３２に入り込んできた遊技球のうち、一部の遊技球を球箱払出用開口部３７と球箱払出用通路３８とを通過させてパチンコ機１０の外部に配置された球箱６０へ払い出すとともに、残りの遊技球を案内通路３３を通過させて遊技球発射装置４０に案内するための配分調節が容易になる。
【００２６】
（別例）
本発明は上記実施形態に限定されるものではなく、例えば上記実施形態を以下のように変更してもよい。
【００２７】
遊技者が操作ボタン５３を押し続けている間、制御手段５５がソレノイド５１への通電を許容することで、シャッター部材５２が球箱払出用開口部３７を開放し、遊技者が操作ボタン５３の押下を止めると、直ちに制御手段５５がソレノイド５１への通電を解除してシャッター部材５２が球箱払出用開口部３７を閉鎖するようにしてもよい。
【図面の簡単な説明】
【００２８】
【図１】第１実施形態のパチンコ機の正面図。
【図２】遊技盤の正面図。
【図３】パチンコ機の背面図。
【図４】下扉の上面図。
【図５】図４の４−４線断面図。
【図６】シャッター装置のブロック図。
【図７】シャッター部材の作動タイミングを説明するタイミングチャート。
【符号の説明】
【００２９】
１０…パチンコ機、１８…遊技盤、１９…遊技領域、２０…入賞装置、２２…賞球払出装置（賞球払出手段）、２１…賞球通路、３１…発射球供給皿、３７…球箱払出用開口部、３８…球箱払出用通路、４０…遊技球発射装置、５０…シャッター装置、５２…シャッター部材、５３…操作ボタン（操作部材）、５４…スイッチ（検知手段）、５５…制御手段、６０…球箱
【図１】
2009153850.tif 000003
【図２】
2009153850.tif 000004
【図３】
2009153850.tif 000005
【図４】
2009153850.tif 000006
【図５】
2009153850.tif 000007
【図６】
2009153850.tif 000008
【図７】
2009153850.tif 000009